(57)【要約】      （修正有）【課題】従来浴槽に入浴する時、大方の浴槽は跨いで入るか、床面より浴槽の底が深いものと、またリフトで吊つて入るものがある。これらは子供、老人、足の障害者等大変困難をきたしていた。【解決手段】従来の浴槽は子供、老人、足の障害者等には跨いだり、吊つたり、深みに入る事が困難であつた。今回発明の浴槽には開閉扉と昇降リフトと吸排貯湯機を設けたことにより跨がず、深みに入らず、駒付き台車でも楽に安全に安心して入浴できこれまでのリフト吊りの面倒も解消できて理想的な浴槽になつた。【選択図】図１
2014200664.tif 000002
【特許請求の範囲】
【請求項１】
浴槽は従来、入浴時跨ぐ場合と、床より底が低い槽とがあり子供、老人、足の障害者等大変困難をきたしていた。そこで下図の如く説明する。
2014200664.tif 000004
上記３点の浴槽の場合、入浴に子供、老人、足の障害者等は困難であつた。これを解消するため下図のように考案した。
従来の浴槽は子供、老人、足の障害者等には跨いだり、吊つたり、深みに入る事が困難であつた。今回発明の浴槽には開閉扉と昇降リフトと吸排貯湯機を設けたことにより跨がず、深みに入らず、駒付き台車でも楽に安全に安心して入浴できこれまでのリフト吊りの面倒も解消できて理想的な浴槽になつた。
2014200664.tif 000005
図３点の中（イ）図の床水平のまま入浴する浴槽の場合、子供、老人、身体障害者等が跨がず、吊らず駒付き台車のまま入り扉を閉める。この時は槽内は空状態であるので取り付けの吸排貯湯機の湯を排出にして槽へ流し込めばそのまま湯に漬かることとなる。出るときは逆に吸排貯湯機を吸入にすれば槽内は空になり扉を開けて出ればいい。次の（ロ）図は設置場所条件により床面より低く沈んだ浴槽の場合、沈んだ状態では子供、老人、身体障害者等は困難であるため、このような浴槽にはリフト機能を取り付けているので、この場合、（イ）の入浴順序にすれば全く同じる。それには、まず沈んでいる槽をリフトで床位置まで持ち上げると（イ）の床水平の状態と同じである。扉を閉めて槽内に湯が入つてからが（イ）と違うのである。そこからリフトにより下降位置まで下げ止めることで床面より低くどつぷり感を味わえる事が出来る。（ハ）図はこれまで吊つて入つていた機具は今回の開閉扉により不要となり駒付き椅子で乗車して入浴出来るので、これまでの浴槽とは安心、安全、介護の手間も楽で非常に効果的であり、又、理想的な浴槽と云える。
【発明の詳細な説明】
【技術分野】
【０００１】本発明は従来入浴の場合、跨いで入るか、床面より底が低い浴槽に入るには子供、老人、足の不自由な人達は入浴に大変困難であつたので、今回、安心して楽に入浴できる浴槽の考案をした。
【背景技術】
【０００２】従来の浴槽は跨ぐか、床より底の低い浴槽の２種類がある。
【発明の概要】
従来の浴槽は跨ぐか、床より底の低い浴槽では子供、老人、足の不自由な障害者の人達は大変困難をきたしていた。第三者の手を借りるか、リフトで吊り上げなければ入浴に困難であつた。
【発明が解決しようとする課題】
【０００４】従来の跨ぐ浴槽と、床より底が低い浴槽は子供、老人、足の障害者は入浴する事が困難であつた。その人達は第三者の手を借りるか、リフトで吊り上げるかの方法を取らなければならない問題点があつた。
【課題を解決するための手段】
【０００５】本発明の浴槽は、従来の浴槽では跨ぐか、吊るか、又は第三者の手を借りなければ容易に入れない人の為に、まず、開閉扉を設ける事により床水平のままで楽に入れ跨ぐことも、吊ることもなく子供、老人、身体障害者等は安全、且つ、安心して入浴することができる。入浴時は槽内部は吸排貯湯機を吸湯にしているので空の状態で入れる。扉を締め吸排貯湯機を排湯にして槽内に湯を入れれば完了である。又、出る時は吸排貯湯機を吸湯にすれば槽内空になり扉を開け出ればいい。この場合、槽が固定状態の時で、一方の設置場所条件により槽の底が床面より低く設置された場合の槽も昇降機能リフトにより上昇して底が床面平行にすれ固定位置の状態と同一になり跨がず、吊らず、駒付椅子でも楽に安心して入浴する事が出来るのが特徴である。
【発明の効果】
【０００６】これまでの浴槽は、跨ぐか、吊るか、第三者の手を借りるか等々で子供、老人、身体障害者等は大変困難をきたしていた。今回の浴槽に開閉扉を取り付けたことにより、槽の底が床面と平行のまま出入りができる事と、設置場所によつては床面より底の深い槽の場合でも、昇降リフト機能と開閉扉を付ければ昇降稼動しない槽と同じである。なんとなれば、これまで困難をしてた人達が楽に安心して入浴できると言う効果がある。
【図面の簡単な説明】
【０００７】
2014200664.tif 000003
【図１】本発明の正面図である
【発明の実施するための形態】
【０００８】以下、本発明の実施するための形態について説明する。
子供、老人、身体障害者等の入浴時において、まず、浴槽底が床面平行固定時において入欲する場合、（ト）の貯湯機に槽の湯を吸湯した後、（ロ）の開閉扉を開き入り締めて人（ト）貯湯機の保湯している湯を排湯にすればよい。又、一方の床面より槽の底が沈んでいる浴槽の場合は、（ハ）の昇降リフト機を取り付け（ニ）の点線位置槽から（イ）の槽位置までリフトで上降すれば基本の稼動順序に順じればいい。
【符号の説明】
【０００９】（イ）浴槽（ロ）開閉扉（ハ）リフト（ニ）点線部降下位置（ホ）貯湯機
【図１】
2014200664.tif 000006
【図２】
2014200664.tif 000007
【手続補正書】
【提出日】平成25年8月21日(2013.8.21)
【手続補正２】
【補正対象書類名】特許請求の範囲
【補正対象項目名】全文
【補正方法】変更
【補正の内容】
【特許請求の範囲】
【請求項１】
従来の浴槽は４０〜５５センチ程の高さがあり子供、老人、身身体障害者等、跨がねばならず人の手を借りるか、又はリフトで吊るかの苦難を虐げられていた。そこで、まず、浴槽の正面に開閉扉を設置し入浴時槽内の湯を空にするため浴槽に取り付けた貯湯機のタンクへ一時吸入する。それにより扉を開けて入り閉めてタンクの湯を槽内へ排湯にすれば吸湯した湯量分だけ槽内へ入り浸かることが出来る。浴槽から出る時は入浴時の順序通りにすればよい。但し、この場合は浴槽の底と床面が平行のときであって浴槽の底が床面より低く沈んでいる場合は槽の底を手動リフト機で持ち上げるか、又は、電動リフト機を使用して床面と平行位置にする。入浴順序は同じである。この浴槽の特徴のも一つは無駄のない湯の循環使用を誇示出来る。
【手続補正３】
【補正対象書類名】明細書
【補正対象項目名】０００７
【補正方法】変更
【補正の内容】
【０００７】〔図  １〕は斜視図である。
１は浴槽本体でありそれに対して７部分は今回考案の開閉扉である。
扉には〔図  ２〕に示した外開き式と引き戸式との２種類がある。
入浴時はその扉を開けて入る前に槽の中の湯を５の貯湯タンク６の吸湯ボタンにより一時貯湯し、槽内空にして扉を閉め、今度は貯湯した湯を槽内に排湯すれば浸かることとなる。この扉には水漏れ用防水パツキンを接着しているので漏れる心配はない。そして出る時は槽内の湯を空にする為、５の貯湯タンクの６の吸湯ボタンを押せば槽内が空になるので出ることができる。又、底の深い浴槽の場合においては２のリフト機により床底から３の床まで上昇させ定位置にして正常置の入浴をするか、どつぷり感を味わいたい場合は元の位置まで沈めればよい。たえず上下稼働により入浴することが快楽的になれる。
〔図  ２〕は平面図である。
図２は開閉扉に就いてであるが、扉は開き戸（ａ）と、引き戸（ｂ）の２種類とする。扉を閉めた時の隙間からの水漏れ及び水圧の予防用に防水パツキンを施した。扉巾は駒付き椅子４５〜５０センチの一般者が通れる巾にした。
【手続補正４】
【補正対象書類名】明細書
【補正対象項目名】０００８
【補正方法】変更
【補正の内容】
【０００８】以下、本発明を実施するための形態について説明する。子供、老人身体障害者等の入浴時、まず、浴槽内の湯を貯湯機に吸湯する。槽を空にして扉を開く。入って扉を閉め貯湯機を排湯にすると槽内に湯が入り浸かることっができる。出る時は貯湯機を吸湯にして槽湯を空にして扉を開ければ出ることができる。但し、子の場合は浴槽の底が床面と平行の時である。
【手続補正５】
【補正対象書類名】明細書
【補正対象項目名】０００９
【補正方法】変更
【補正の内容】
【０００９】〔図  １〕
１  浴槽  ２  リフト機  ３  床  ４  上下スライド  ５  貯湯タンク
６  吸排機  ７  開閉扉（１）開閉外開式  （２）引き戸閉め式
８  吸排ボタン  ９  貯湯タンクと浴槽とのバイプ
【手続補正６】
【補正対象書類名】図面
【補正対象項目名】全図
【補正方法】変更
【補正の内容】
【図１】
2014200664.tif 000008
【図２】
2014200664.tif 000009